(57)【要約】本発明の液体容器の排出アセンブリは、容器の口に形成される排出部材と、該排出部材に結合される栓と、前記排出部材に形成される雄密閉手段と、該雄密閉手段に対応して前記栓に形成される雌密閉手段とを含む。
2006506292.tif 000002
【特許請求の範囲】
【請求項１】
容器の口に形成される排出部材と、
該排出部材に結合される栓と、
前記排出部材に形成される雄密閉手段と、
該雄密閉手段に対応して前記栓に形成される雌密閉手段と、を備える液体容器の排出アセンブリ。
【請求項２】
前記雄密閉手段は、前記排出部材の排出部の上端部に形成される雄密閉突起を備え、前記雌密閉手段は、前記雄密閉突起が挿入される挿入溝を備えることを特徴とする、請求項１記載の液体容器の排出アセンブリ。
【請求項３】
前記雄密閉手段は、前記排出部の上端部、または排出部を画定する内壁に形成される環状弾性密閉突起を備えることを特徴とする、請求項１あるいは請求項２記載の液体容器の排出アセンブリ。
【請求項４】
前記環状弾性密閉突起は、内向きあるいは外向きに傾斜し、前記雌密閉手段は、前記環状弾性密閉突起を強圧する側壁を備えることを特徴とする、請求項３記載の液体容器の排出アセンブリ。
【請求項５】
前記雌密閉手段は、前記環状弾性密閉突起が挿入される挿入溝を備えることを特徴とする、請求項３記載の液体容器の排出アセンブリ。
【請求項６】
前記雌密閉手段は、前記環状弾性密閉突起を案内する環状傾斜壁を備えることを特徴とする、請求項３記載の液体容器の排出アセンブリ。
【請求項７】
前記栓に連結され、複数の弾性突起が形成されたタンパプルーフと、複数の引っ掛け突起が形成された排出部材とをさらに備え、前記弾性突起と引っ掛け突起との複数の間隔のうち少なくとも二つは互いに異なり、栓を開く際に弾性突起が時間差を有して引っ掛け突起と接触することを特徴とする、請求項１記載の液体容器の排出アセンブリ。
【請求項８】
前記タンパプルーフには、抵抗突起がさらに形成され、前記排出部材には、弾性引っ掛け突起が形成されることを特徴とする、請求項７記載の液体容器の排出アセンブリ。
【請求項９】
前記排出部材の取付部の上方に空間が画定され、前記取付部は、容器の口に取り付けられることを特徴とする、請求項１記載の液体容器の排出アセンブリ。
【請求項１０】
前記排出部材の排出部にストローが挿入されることを特徴とする、請求項１記載の液体容器の排出アセンブリ。
【請求項１１】
前記排出部材は、容器の口に取り付けられる取付部の下方に延びる排出案内部をさらに備えることを特徴とする、請求項１記載の液体容器の排出アセンブリ。
【請求項１２】
前記排出部材は、容器に一体成型されることを特徴とする、請求項１記載の液体容器の排出アセンブリ。
【請求項１３】
前記排出部材は、容器の口に取り付けられることを特徴とする、請求項１記載の液体容器の排出アセンブリ。
【請求項１４】
前記容器は、紙パックあるいはフィルムパウチで作られることを特徴とする、請求項１記載の液体容器の排出アセンブリ。
【発明の詳細な説明】
【技術分野】
【０００１】
本発明は、密閉状態を改善することにより、容器に入られた液状物を長期間に亘って保存できる液体容器の排出アセンブリに関し、特に、容器の排出部に形成された雄密閉手段に係合される雌密閉手段を有することで、容器と排出アセンブリとの間を高密閉状態に維持できるようにした液体容器の排出アセンブリに関するものである。
【背景技術】
【０００２】
通常、ミネラルウォーターやジュースのような飲料、あるいは薬剤や洗剤などの液状またはゲル状の物質は、多様な形態の容器に入れられ、パックされ、運搬され、そして市販される。このような容器の開口には、栓が結合される。使用の際には、使用者は、栓を開いて内容物を排出させる。内容物が飲料である場合には、使用者は、直接口で飲んだりストローを用いて内容物を吸入する。
【０００３】
容器は、合成樹脂材容器またはパウチ容器で形成され得る。前記容器がパウチ容器である場合には、パウチ容器に排出部材が取り付けられ、該排出部材は、栓により密閉される。
【０００４】
しかしながら、このような従来の液体容器の排出アセンブリは、単純に容器開口と栓との間の結合力に依存しているので、充分な密閉性が提供されない。即ち、外部からの小さな衝撃によっても、漏れが発生し得る。
【発明の開示】
【発明が解決しようとする課題】
【０００５】
本発明は、上述した従来の問題点を解決するためのものである。本発明の目的は、排出部に形成された雄密閉手段と、栓に形成された雌密閉手段とを係合させることにより、また、栓を排出部にねじ結合することにより、栓と排出部との間に高い密閉性を提供する排出アセンブリを提供することである。
【課題を解決するための手段】
【０００６】
前記目的を実現するために、本発明は、容器の口に形成される排出部材と、該排出部材に結合される栓と、前記排出部材に形成される雄密閉手段と、該雄密閉手段に対応して前記栓に形成される雌密閉手段とを備える液体容器の排出アセンブリを提供する。
【０００７】
前記雄密閉手段は、前記排出部材の排出部の上端部に形成される雄密閉突起を備え、前記雌密閉手段は、前記雄密閉突起が挿入される挿入溝を備え得る。
【０００８】
前記雄密閉手段は、排出部の上端部、または排出部を画定する内壁に形成される環状弾性密閉突起を備え得る。
【０００９】
前記環状弾性密閉突起は内向きあるいは外向きに傾斜し、前記雌密閉手段は、前記環状弾性密閉突起を強圧する側壁を備え得る。
【００１０】
前記雌密閉手段は、前記環状弾性密閉突起が挿入される挿入溝を備え得る。
【００１１】
前記雌密閉手段は、前記環状弾性密閉突起を案内する環状傾斜壁を備え得る。
【００１２】
本発明の排出アセンブリは、前記栓に連結され、複数の弾性突起が形成されたタンパプルーフと、複数の引っ掛け突起が形成された排出部材とをさらに備え、前記弾性突起と引っ掛け突起との複数の間隔のうち少なくとも二つは互いに異なり、栓を開く際に弾性突起が時間差を有して引っ掛け突起と接触し得る。
【００１３】
前記タンパプルーフには、抵抗突起がさらに形成され、前記排出部材には、弾性引っ掛け突起が形成され得る。
【００１４】
前記排出部材の取付部の上方に所定空間が画定され、前記取付部は、容器の口に取り付けられ得る。
【００１５】
前記排出部材の排出部には、ストローが挿入され得る。
【００１６】
前記排出部材は、容器の口に取り付けられる取付部の下方に延びる排出案内部をさらに備え得る。
【００１７】
前記排出部材は、容器に一体成型され得る。
【００１８】
前記排出部材は、容器の口に取り付けられ得る。
【００１９】
前記容器は、紙パックあるいはフィルムパウチで作られ得る。
【発明を実施するための最良の形態】
【００２０】
以下、本発明の好ましい実施形態について、添付した図面を参照して説明する。
【００２１】
図１乃至図３は、本発明の一つの実施形態として、排出部に栓が結合される構造を示している。
【００２２】
図面においては、容器の一例として、パウチ容器または他の柔軟性を有する合成樹脂容器が例示されている。容器には、排出部材１００が取り付けられ、前記排出部材１００には、栓２００が結合される。
【００２３】
前記排出部材１００は、容器に取り付けられる取付部１０１と、該取付部１０１から上方に延びる排出部１０３とを備えており、また、排出孔１０２が形成されている。
【００２４】
本発明の特徴的な構成として、前記排出部１０３は、雄密閉手段を備える。該雄密閉手段は、排出部１０３の内壁部１０４に形成された環状弾性密閉突起１０５を備える。該環状弾性密閉突起１０５は、排出部１０３の内壁部１０４から上方に延び、排出部１０３の中心軸に向かって傾いて形成される。前記排出部１０３の上端部は、雄密閉突起１０６となる。
【００２５】
前記排出部材１００に取り付けられる栓２００には、雄密閉手段に対応する雌密閉手段が形成される。前記栓２００は、頂部２０１と、該頂部２０１から下方に延びる側部２０２と、内栓２０３とを備える。
【００２６】
前記内栓２０３には、前記排出部材１００の雄密閉手段に対応する雌密閉手段が形成されている。該雌密閉手段は、内栓２０３の下端部外環面に形成された環状傾斜壁２０４と、内栓２０３に画定され、前記下端部外環面の上側に形成されて、排出部材１００の環状弾性密閉突起１０５を押圧する環状密閉壁２０５とを備える。前記雌密閉手段は、環状密閉壁２０５の外環の近傍において頂部２０１の底部に形成された挿入溝２０６を含む。前記雄密閉突起１０６は、挿入溝２０６に挿入される。
【００２７】
本発明の排出アセンブリの作用効果を、以下で詳細に説明する。
【００２８】
排出部材１００の排出部１０３に栓２００を組み付けると、排出部１０３のねじ山１０７が栓２００のねじ山２０７と一体となると同時に、栓２００の雌密閉手段が排出部材１００の雄密閉手段と強く組み合う。
【００２９】
即ち、図２で示すように、まず、内栓２０３の傾斜壁２０４が排出部材１００の環状弾性密閉突起１０５に接触し、該環状弾性密閉突起１０５を外側に押す。
【００３０】
この状態から、栓２００がさらに回転すると、前記傾斜壁２０４が環状弾性密閉突起１０５をさらに外側に押し、環状密閉壁２０５が環状弾性密閉突起１０５の上端部を押圧し、密閉性が高められる。同時に、雄密閉突起１０６が挿入溝２０６に挿入され、高い密閉性が達成される(図３参照)。
【００３１】
前記栓２００は、スクリュー方式のみならず、ワンタッチ方式によっても排出部材１００の排出部１０３に結合され得る。
【００３２】
図４乃至図１１は、雄密閉手段の他の様々な例を示している。
【００３３】
まず図４及び図５を参照すると、前記排出部１０３の上端部に環状弾性密閉突起１０５が形成され、内側または外側に折り曲げられる。使用時には、前記環状弾性密閉突起１０５は、栓２００の挿入溝に弾性的に挿入される。
【００３４】
図６及び図７を参照すると、前記環状弾性密閉突起１０５は、排出部１０３の内壁から上方に延びるように形成される。その使用時には、環状弾性密閉突起１０５が栓２００の内側壁または内栓２０３の外壁に弾性的に圧迫され、高い密閉性が達成される。
【００３５】
図８及び図９を参照すると、前記雄密閉突起１０６は、排出部１０３の上端部に形成された環状段差によって画定される。その使用時には、栓２００の挿入溝２０６が環状段差型の雄密閉突起１０６と結び付いて高い密閉性が達成される。
【００３６】
図１０及び図１１を参照すると、前記環状段差型の雄密閉突起１０６は、外側に折り曲げ可能に構成される。その使用時には、環状段差型の雄密閉突起１０６の上端部は、栓２００の挿入溝２０６によって折り曲げられ、高い密閉性が達成される。
【００３７】
図１２は、本発明の雌密閉手段の他の例を示している。
【００３８】
図示した通り、排出部材１００は、内壁部１０４から所定角度傾斜させて形成される雄密閉手段としての環状弾性密閉突起１０５と、排出部１０３の上端部に形成される雄密閉突起１０６とを備える。
【００３９】
前記排出部材１００に対応する栓２００は、下端部に傾斜壁２０４が形成された内栓２０３を備える。補助挿入溝２０８が前記傾斜壁２０４より上側の栓２００の頂部の底部に形成される。前記環状弾性密閉突起１０５は、補助挿入溝２０８に挿入される。また、雄密閉突起１０６が差し込まれる挿入溝２０６が、栓２００の頂部の底部にさらに形成される。
【００４０】
図１３は、排出部材１００の詳細構造を示す。
【００４１】
図示した通り、排出部１０３と取付部１０１との間には、タンパプルーフ固定部１０８及び引っ掛け突起形成部１０９が形成されている。第１空間１１１及び第２空間１１２が、環状突起によって取付部１０１と引っ掛け突起形成部１０９との間に画定される。
【００４２】
前記取付部１０１を容器本体３００へ挿入するよう案内する案内部１１３，１１４が、取付部１０１から下方に延びるように形成される。
【００４３】
容器本体３００のフィルムは、熱溶着工程により取付部１０１に取り付けられる。熱溶着工程において、フィルム及び取付部１０１は一部が溶融する。この時、溶融物が第２空間１１２に流入するので、外観上の美しさを維持することができる。
【００４４】
図１４は、引っ掛け突起形成部に関連する構造を示している。
【００４５】
引っ掛け突起形成部１０９には、多数の引っ掛け突起１１０が形成されている。栓２００のタンパプルーフ２１１には、栓２００からタンパプルーフ２１１の連結部２０９を分離するための引っ掛け突起１１０に引っ掛けられるように構成された多数の弾性突起２１０が形成されている。栓２００が排出部材１００に結合される際、引っ掛け突起１１０と弾性突起２１０との間の間隔Ａ、Ｂ、Ｃ、Ｄは、各々異なるように形成される。栓２００を開ける際には、最も小さい間隔Ａを有する連結部がまず破壊され、最も大きい間隔Ｄを有する連結部が最後に破壊される。
【００４６】
間隔Ａ、Ｂ、Ｃ、Ｄは、順に小さくなるよう設定されるものであってもよく、不規則に小さくなるよう設定されるものであってもよい。前記連結部２０９の代わりに、タンパプルーフ２１１と栓２００との間に切取線を形成し、弾性突起２１０が引っ掛け突起１１０に引っ掛かる際にタンパプルーフ２１１が分離されるようにすることができる。
【００４７】
図１５は、引っ掛け突起形成部１０９及びタンパプルーフ２１１の他の実施形態を示している。
【００４８】
図示した通り、排出部材１００には、タンパプルーフ２１１を引っ掛けて固定することができる複数の引っ掛け突起１１０及び弾性引っ掛け突起１１５が排出部の下側に形成されている。
【００４９】
前記タンパプルーフ２１１には、引っ掛け突起１１０または弾性引っ掛け突起１１５に引っ掛けられる多数の弾性突起２１０が形成される。また、前記タンパプルーフ２１１には、弾性突起２１０の近傍に連結部２０９がさらに形成される。前記タンパプルーフ２１１には、連結部２０９の近傍に抵抗突起２１２をさらに形成することができる。
【００５０】
図１６及び図１７は、栓２００を示している。栓２００は、連結部２０９によって側部２０２の下端部に連結されるタンパプルーフ２１１を有する。前記タンパプルーフ２１１の内壁には、所定の方向に傾斜した弾力片２１０が形成される。
【００５１】
図１８は、ストローが取り付けられた排出アセンブリを示している。
【００５２】
図示したとおり、ストロー４００は、排出部材１００の排出部１０３を通って挿入される。排出部１０３とストロー４００との間には、高い密閉性が維持される。
【００５３】
その使用時には、容器を押したり圧迫したりすると、その内容物が排出孔４０２または側部孔４０１を通じて排出される。使用者は、ストロー４００を吸って内容物を飲むこともできる。
【産業上の利用可能性】
【００５４】
以上で説明したように、本発明に従う液体容器の排出アセンブリは、容器の排出部に形成された雄密閉手段が雌密閉手段に係合されて密閉状態を改善することにより、容器に入られた液状物を長期間に亘って保存できるように構成されたので、飲料、あるいは産業用液剤のような液状物用の多様な容器で使用することができる。
【図面の簡単な説明】
【００５５】
【図１】本発明に従う液体容器の排出アセンブリを示した断面図である。
【図２】本発明に従う排出アセンブリを組み立てた状態を示した拡大断面図である。
【図３】本発明に従う排出アセンブリを組み立てた状態を示した拡大断面図である。
【図４】本発明に従う雌密閉手段及び雄密閉手段の他の実施形態を示した断面図である。
【図５】本発明に従う雌密閉手段及び雄密閉手段の他の実施形態を示した断面図である。
【図６】本発明に従う雌密閉手段及び雄密閉手段の他の実施形態を示した断面図である。
【図７】本発明に従う雌密閉手段及び雄密閉手段の他の実施形態を示した断面図である。
【図８】本発明に従う雌密閉手段及び雄密閉手段の他の実施形態を示した断面図である。
【図９】本発明に従う雌密閉手段及び雄密閉手段の他の実施形態を示した断面図である。
【図１０】本発明に従う雌密閉手段及び雄密閉手段の他の実施形態を示した断面図である。
【図１１】本発明に従う雌密閉手段及び雄密閉手段の他の実施形態を示した断面図である。
【図１２】本発明に従う雌密閉手段及び雄密閉手段の他の実施形態を示した断面図である。
【図１３】容器本体に取り付けられた本発明に従う排出部材を示した側面図である。
【図１４】本発明に従う排出アセンブリのタンパプルーフを示した断面図である。
【図１５】本発明に従う排出アセンブリのタンパプルーフを示した断面図である。
【図１６】本発明に従う排出アセンブリのタンパプルーフを示した断面図である。
【図１７】本発明に従う排出アセンブリのタンパプルーフを示した断面図である。
【図１８】本発明に従う排出部材のストローの受け入れ構造を示した断面図である。
【図１】
2006506292.tif 000003
【図２】
2006506292.tif 000004
【図３】
2006506292.tif 000005
【図４】
2006506292.tif 000006
【図５】
2006506292.tif 000007
【図６】
2006506292.tif 000008
【図７】
2006506292.tif 000009
【図８】
2006506292.tif 000010
【図９】
2006506292.tif 000011
【図１０】
2006506292.tif 000012
【図１１】
2006506292.tif 000013
【図１２】
2006506292.tif 000014
【図１３】
2006506292.tif 000015
【図１４】
2006506292.tif 000016
【図１５】
2006506292.tif 000017
【図１６】
2006506292.tif 000018
【図１７】
2006506292.tif 000019
【図１８】
2006506292.tif 000020
【国際調査報告】
2006506292.tif 000021
2006506292.tif 000022